【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
製品を保持する強化パッケージであって、該強化パッケージは、
複数のパネルを有するカートンであって、該複数のパネルは、該カートンの内部の回りに少なくとも部分的に延び、該複数のパネルは、フロントパネルと、該フロントパネルに折り曲げ可能につながっている第１のサイドパネルと、前記フロントパネルに折り曲げ可能につながっている第２のサイドパネルと、前記第１のサイドパネル及び前記第２のサイドパネルのうちの少なくとも一方に折り曲げ可能につながっている少なくとも１つのバックパネルと、前記フロントパネル及び前記バックパネルのうちの少なくとも一方に折り曲げ可能につながっている少なくとも１つのボトムパネルとを含む、カートンと、
少なくとも部分的に開放した端部と、少なくとも部分的に閉鎖した端部と、製品を保持する内部空間とを有する袋であって、該袋は、前記カートンの前記内部に少なくとも部分的に収容される、袋と、
を備え、前記カートンは、前記袋の前記内部空間が少なくとも部分的に縮小する非起立位置と、前記袋の前記内部空間が拡大する起立位置とに配置可能であり、前記カートンは、前記袋を前記起立位置に支持するように構成されている、強化パッケージ。
【請求項２】
前記袋の前記少なくとも部分的に閉鎖した端部は、前記カートンの前記内部に少なくとも部分的に収容される、請求項１に記載の強化パッケージ。
【請求項３】
前記袋は、前記フロントパネル及び前記バックパネルのうちの少なくとも一方の内面に少なくとも部分的に糊付けされ、前記袋は、前記フロントパネル及び前記バックパネルのうちの少なくとも一方の前記内面に糊付けされる、少なくとも１つの側壁を更に備える、請求項１に記載の強化パッケージ。
【請求項４】
前記袋は、該袋の前記少なくとも部分的に閉鎖した端部から概ね上方にそれぞれ延在する、第１の側壁及び第２の側壁を有し、前記第１の側壁と前記第２の側壁とは、前記袋の周囲領域に沿って延在する少なくとも１つのシームによって互いに貼付される、請求項１に記載の強化パッケージ。
【請求項５】
前記少なくとも１つのシームは、少なくとも、前記袋のそれぞれの周囲領域に沿って延在する第１のシーム及び第２のシームを含む、請求項４に記載の強化パッケージ。
【請求項６】
前記少なくとも１つのシームは、前記第１の側壁及び前記第２の側壁のそれぞれに沿って延びる少なくとも１つの糊付け用エリアを有し、前記第１の側壁及び前記第２の側壁にある該少なくとも１つの糊付け用エリアのそれぞれの部分は、対面接触状態で少なくとも部分的に糊付けされ、前記少なくとも１つの糊付け用エリアは、前記袋の前記少なくとも部分的に閉鎖した端部の少なくとも一部に沿って更に延在し、前記少なくとも部分的に閉鎖した端部における前記少なくとも１つの糊付け用エリアの少なくとも一部は、前記少なくとも部分的に閉鎖した端部における前記少なくとも１つの糊付け用エリアの別の部分に少なくとも部分的に糊付けされ、前記袋の少なくとも１つのシールコーナーを形成し、前記少なくとも１つのシームは、少なくとも第１のシーム及び第２のシームを含み、前記少なくとも１つの糊付け用エリアは、少なくとも第１の糊付け用エリア及び第２の糊付け用エリアを含み、前記少なくとも１つのシールコーナーは、第１のシールコーナー及び第２のシールコーナーを含む、請求項４に記載の強化パッケージ。
【請求項７】
前記袋は、該袋の前記少なくとも部分的に閉鎖した端部から概ね上方にそれぞれ延在する、第１の側壁及び第２の側壁を有し、前記袋の前記少なくとも部分的に閉鎖した端部は、第１の折り曲げ線に沿って第２のガセットパネルに折り曲げ可能につながっている第１のガセットパネルを含み、前記第１の側壁は、第２の折り曲げ線に沿って前記第１のガセットパネルに折り曲げ可能につながっており、前記第２の側壁は、第３の折り曲げ線に沿って前記第２のガセットパネルに折り曲げ可能につながっており、
前記カートンが前記起立位置にある場合、前記第１のガセットパネルと前記第２のガセットパネルとは互いに略同一平面にあり、前記カートンが前記非起立位置にある場合、前記第１のガセットパネルと前記第２のガセットパネルとは前記第１の折り曲げ線に沿って互いに対して少なくとも部分的に折り曲げられており、前記第１のガセットパネル及び前記第２のガセットパネルは、前記カートンが前記非起立位置にある場合、概ね前記第１の側壁と前記第２の側壁との間に配置される、請求項１に記載の強化パッケージ。
【請求項８】
前記第１のサイドパネルは、第１の横折り曲げ線に沿って第２のパネル部分に折り曲げ可能につながっている第１のパネル部分を含み、前記第２のサイドパネルは、第２の横折り曲げ線に沿って第４のパネル部分に折り曲げ可能につながっている第３のパネル部分を含み、前記カートンが前記起立位置にある場合、前記第１のパネル部分及び前記第３のパネル部分は、前記第２のパネル部分と、前記第４のパネル部分とそれぞれ略同一平面にあり、前記第１のサイドパネル及び前記第２のサイドパネルは、前記カートンが前記非起立位置にある場合、前記第１のパネル部分が前記第２のパネル部分に概ね対向するとともに、前記第３のパネル部分が前記第４のパネル部分に概ね対向するように、それぞれの前記第１の横折り曲げ線及び前記第２の横折り曲げ線に沿って折り曲げられ、前記第１のサイドパネルは、第１の折り曲げ線に沿って前記フロントパネルに、また第２の折り曲げ線に沿って前記バックパネルに折り曲げ可能につながっており、前記第２のサイドパネルは、第３の折り曲げ線に沿って前記フロントパネルに、また第４の折り曲げ線に沿って貼付用フラップに折り曲げ可能につながっており、該貼付用フラップは、前記バックパネルに少なくとも部分的に貼付され、前記第１の折り曲げ線、前記第２の折り曲げ線、前記第３の折り曲げ線、及び前記第４の折り曲げ線のそれぞれは、前記フロントパネル及び前記バックパネルのそれぞれがそれぞれの上側縁及び下側縁において最も幅広であるように、第２の斜め部分から延びる第１の斜め部分を有する、請求項１に記載の強化パッケージ。
【請求項９】
前記第１のサイドパネルは、第１の折り曲げ線に沿って第２のパネル部分に折り曲げ可能につながっている第１のパネル部分を含み、該第１のパネル部分は、第２の折り曲げ線に沿って前記フロントパネルに折り曲げ可能につながっており、前記第２のパネル部分は、第３の折り曲げ線に沿って前記バックパネルに折り曲げ可能につながっており、前記第２の折り曲げ線及び前記第３の折り曲げ線のそれぞれは、頂点において第２の斜め部分から延びる第１の斜め部分を有し、各頂点は、前記第１のパネル部分及び前記第２のパネル部分のそれぞれがそれぞれの該頂点の近傍で最も幅広であるように前記第１の折り曲げ線から離間している、請求項１に記載の強化パッケージ。
【請求項１０】
前記少なくとも１つのボトムパネルは、前記バックパネルに折り曲げ可能につながっている第１のボトムパネルと、前記フロントパネルに折り曲げ可能につながっている第２のボトムパネルとを含み、係止タブが前記第２のボトムパネルから延び、前記第１のボトムパネルの縁に係合し、前記強化パッケージは、前記係止タブによって少なくとも部分的に中断される折り曲げ線に沿って前記第２のボトムパネルに折り曲げ可能につながっているボトムフラップを更に備え、前記係止タブは、前記ボトムフラップにおいて切れ目線によって少なくとも部分的に画定される、請求項１に記載の強化パッケージ。
【請求項１１】
前記複数のパネルのうちの少なくとも１つのパネルにある係止構成部であって、該係止構成部は、該強化パッケージを前記起立位置に少なくとも部分的に保持するように機能するとともに、前記非起立位置に向かって前記複数のパネルが少なくとも部分的に折り畳まれることを可能にする、係止構成部と、
を備える、請求項１に記載の強化パッケージ。
【請求項１２】
前記第１のサイドパネルは、第１の折り曲げ線に沿って第２のパネル部分に折り曲げ可能につながっている第１のパネル部分を含み、該第１のパネル部分は、第２の折り曲げ線に沿って前記フロントパネルに折り曲げ可能につながっており、前記第２のパネル部分は、第３の折り曲げ線に沿って前記バックパネルに折り曲げ可能につながっており、前記係止構成部は、前記第２の折り曲げ線及び前記第３の折り曲げ線のそれぞれの頂点において第２の斜め部分から延びる第１の斜め部分を有し、各頂点は、前記第１のパネル部分及び前記第２のパネル部分のそれぞれがそれぞれの該頂点の近傍で最も幅広であるように前記第１の折り曲げ線から離間している、請求項１１に記載の強化パッケージ。
【請求項１３】
前記少なくとも１つのボトムパネルは、前記バックパネルに折り曲げ可能につながっている第１のボトムパネルと、前記フロントパネルに折り曲げ可能につながっている第２のボトムパネルとを含み、前記係止構成部は、前記第２のボトムパネルから延び、前記第１のボトムパネルの縁に係合する係止タブを含む、請求項１１に記載の強化パッケージ。
【請求項１４】
前記強化パッケージは、前記係止タブによって少なくとも部分的に中断される折り曲げ線に沿って前記第２のボトムパネルに折り曲げ可能につながっているボトムフラップを更に備え、前記係止タブは、前記ボトムフラップにおいて切れ目線によって少なくとも部分的に画定される、請求項１３に記載の強化パッケージ。
【請求項１５】
製品を保持する強化パッケージを形成するカートンブランクと袋との組合せ体であって、
前記カートンブランクはカートンを形成するものであり、該カートンブランクは複数のパネルを備え、該複数のパネルは、フロントパネルと、該フロントパネルに折り曲げ可能につながっている第１のサイドパネルと、前記フロントパネルに折り曲げ可能につながっている第２のサイドパネルと、前記第１のサイドパネル及び前記第２のサイドパネルのうちの少なくとも一方に折り曲げ可能につながっている少なくとも１つのバックパネルと、前記フロントパネル及び前記バックパネルのうちの少なくとも一方に折り曲げ可能につながっている少なくとも１つのボトムパネルとを含み、
袋は、少なくとも部分的に開放した端部と、少なくとも部分的に閉鎖した端部と、製品を保持する内部空間とを有し、該袋は、前記カートンブランクに少なくとも部分的に貼付され、
前記カートンブランク及び前記袋から形成された前記強化パッケージは、前記袋の前記内部空間が少なくとも部分的に縮小する非起立位置と、前記袋の前記内部空間が拡大する起立位置とに配置可能である、組合せ体。
【請求項１６】
製品を保持する強化パッケージを形成する方法であって、該方法は、
複数のパネルを有するカートンブランクを得ることであって、該複数のパネルは、フロントパネルと、該フロントパネルに折り曲げ可能につながっている第１のサイドパネルと、前記フロントパネルに折り曲げ可能につながっている第２のサイドパネルと、前記第１のサイドパネル及び前記第２のサイドパネルのうちの少なくとも一方に折り曲げ可能につながっている少なくとも１つのバックパネルと、前記フロントパネル及び前記バックパネルのうちの少なくとも一方に折り曲げ可能につながっている少なくとも１つのボトムパネルとを含み、
ライナーブランクを得ることと、
少なくとも部分的に開放した端部と、少なくとも部分的に閉鎖した端部と、製品を保持する内部空間とを有するように、前記ライナーブランクから袋を形成することと、
前記袋の少なくとも一部を前記カートンブランクの前記フロントパネル及び前記バックパネルのうちの少なくとも一方に貼付することと、
前記複数のパネルによって少なくとも部分的に画定されるカートンの内部を形成することであって、開端スリーブを形成することを含むことと、
を含み、
前記カートンは、前記袋の前記内部空間が少なくとも部分的に縮小する非起立位置と、前記袋の前記内部空間が拡大する起立位置とに配置可能であり、前記カートンは、前記袋を前記起立位置に支持するように構成されている、方法。
【請求項１７】
前記袋は、第１の側壁及び第２の側壁を有し、
前記袋を形成することは、前記第１の側壁及び前記第２の側壁のそれぞれが前記袋の前記少なくとも部分的に閉鎖した端部から概ね上方に延びるように、前記袋の周囲領域に沿った少なくとも１つのシームにおいて前記第１の側壁を前記第２の側壁に貼付することを含む、請求項１６に記載の方法。
【請求項１８】
前記少なくとも１つのシームは、前記第１の側壁及び前記第２の側壁のそれぞれに沿って延在する少なくとも１つの糊付け用エリアを有し、前記第１の側壁を前記第２の側壁に貼付することは、前記第１の側壁及び前記第２の側壁にある前記少なくとも１つの糊付け用エリアのそれぞれの部分を対面接触状態で糊付けすることを含み、前記少なくとも１つの糊付け用エリアは、前記袋の前記少なくとも部分的に閉鎖した端部の少なくとも一部に沿って更に延び、前記少なくとも１つの糊付け用エリアの前記それぞれの部分を糊付けすることは、前記少なくとも部分的に閉鎖した端部における前記少なくとも１つの糊付け用エリアの少なくとも一部を前記少なくとも部分的に閉鎖した端部における前記少なくとも１つの糊付け用エリアの別の部分に糊付けし、前記袋の少なくとも１つのシールコーナーを形成することを含む、請求項１７に記載の方法。
【請求項１９】
前記第１のサイドパネルは、第１の横折り曲げ線に沿って第２のパネル部分に折り曲げ可能につながっている第１のパネル部分を含み、前記第２のサイドパネルは、第２の横折り曲げ線に沿って第４のパネル部分に折り曲げ可能につながっている第３のパネル部分を含み、
前記第１のサイドパネルは、第１の折り曲げ線に沿って前記フロントパネルに、また第２の折り曲げ線に沿って前記バックパネルに折り曲げ可能につながっており、前記第２のサイドパネルは、第３の折り曲げ線に沿って前記フロントパネルに、また第４の折り曲げ線に沿って貼付用フラップに折り曲げ可能につながっており、
前記カートンの前記内部を形成することは、前記第１のサイドパネル及び前記第２のサイドパネルをそれぞれの前記第１の横折り曲げ線及び前記第２の横折り曲げ線に沿って折り曲げることと、前記バックパネルと前記貼付用フラップとを少なくとも部分的に重ね合わせることとを含む、請求項１６に記載の方法。
【請求項２０】
前記第１の折り曲げ線、前記第２の折り曲げ線、前記第３の折り曲げ線、及び前記第４の折り曲げ線のそれぞれは、頂点において第２の斜め部分から延びる第１の斜め部分を有し、各頂点は、前記第１のサイドパネル及び前記第２のサイドパネルのそれぞれがそれぞれの該頂点の近傍で最も幅広であるように、それぞれの前記第１の折り曲げ線及び前記第２の折り曲げ線から離間している、請求項１９に記載の方法。
【請求項２１】
前記少なくとも１つのボトムパネルは、前記バックパネルに折り曲げ可能につながっている第１のボトムパネルと、前記フロントパネルに折り曲げ可能につながっている第２のボトムパネルとを含み、係止タブが前記第２のボトムパネルから延び、
前記方法は、前記係止タブを前記第１のボトムパネルの縁に少なくとも部分的に係合させることによって、前記カートンの少なくとも部分的に閉鎖した端部を形成することを更に含む、請求項１６に記載の方法。
【請求項２２】
前記カートンブランクは、前記係止タブによって少なくとも部分的に中断される折り曲げ線に沿って前記第２のボトムパネルに折り曲げ可能につながっているボトムフラップを更に備え、前記係止タブは、前記ボトムフラップにおいて切れ目線によって少なくとも部分的に画定される、請求項２１に記載の方法。